(57)【要約】【課題】  膜状生体由来組織全体に充填した保存液を均一に行き渡らせる事が出来、尚且つ凍結していない状態でも膜状生体由来組織の折りたたみ、丸め、皺等の変形をさせる事無く、その機能、形状を維持した状態で保存及び輸送する事が出来る膜状生体由来組織輸送容器を提供する事。【解決手段】膜状生体由来組織を溶液に浸漬した状態で保存及び輸送する為の容器本体及び容器蓋面から構成される容器であって、該容器本体に底面突起部を有し、該容器蓋面に上面突起部を有して、膜状生体由来組織を保持する構造を有する事を特徴とする膜状生体由来組織保存容器。【選択図】 図１
2005047866.tif 000002
【特許請求の範囲】
【請求項１】
膜状生体由来組織を溶液に浸漬した状態で保存及び輸送する為の容器本体及び容器蓋面から構成される容器であって、該容器本体に底面突起部を有し、該容器蓋面に上面突起部を有して、膜状生体由来組織を保持する構造を有する事を特徴とする膜状生体由来組織保存容器。
【請求項２】
底面突起部及び上面突起部に浸漬溶液が流動し得る間隙が設けられている請求項１記載の膜状生体由来組織保存容器。
【請求項３】
底面突起部及び上面突起部がリブ形状からなり、且つ底面突起部及び上面突起部が互いに交点を有する形で配置されている請求項１又は２記載の膜状生体由来組織保存容器。
【請求項４】
容器本体及び容器蓋面にそれぞれシール可能な縁部を有し、容器本体に容器蓋面を被せた後、該縁部をシートでシールする事で容器本体に収納した膜状生体由来組織と溶液を密閉する請求項１〜３いずれか記載の膜状生体由来組織保存容器。
【請求項５】
容器本体側面に膜状生体由来組織の側面を保持する為の突起部を有している請求項１〜４いずれか記載の膜状生体由来組織保存容器。
【請求項６】
膜状生体由来組織を一次キャリアシート上に乗せ、更に膜状生体由来組織及び一次キャリアシートを二次キャリアシートで包んだ状態で容器本体に収納する請求項１〜５いずれか記載の膜状生体由来組織保存容器。
【発明の詳細な説明】
【技術分野】
【０００１】
本発明は、再生医療、臨床、又は生化学研究において使用する培養皮膚又は生体から摘出した皮膚、角膜等の膜状の生体由来組織を保存及び輸送する為の容器に関する。
【背景技術】
【０００２】
再生医療分野、臨床または生化学研究分野において生体より摘出した皮膚組織や細胞培養により構築した膜状の組織体は、一般的に摘出若しくは培養した施設から別の施設に搬送して治療や研究に使用されるケースが多い。
膜状生体由来組織は、その活性を維持する為の培養液等の保存液に浸漬した状態で取り扱う必要があり、更に部分的な壊死を起こさない為にはその保存液が組織全体に均一に行き渡っている事が望ましい。
また、膜状生体由来組織を折りたたんだり、丸めたり、皺が出来た状態で取り扱うと、物理的な応力が部分的に集中する事により壊死や破れが発生する可能性や、組織同士が接触している部分が癒着を起こす恐れがある。
【０００３】
現在使用されている一般的な生体組織の輸送方法としては、例えばチューブに細胞を入れて保存液を充填し凍結状態で輸送する方法がある。
細胞の場合、凍結−解凍工程で一定の割合で保存している細胞が破壊されても、残っている細胞を培養・増殖させて使用するので問題は無いが、生体由来組織体の場合、組織を構成する細胞の一部分が破壊されても目的とする機能が発揮されない場合が多く、完全な状態で解凍する事は困難である事から凍結した上での輸送方法は好ましくない。
【０００４】
一方細胞培養用フラスコの様な大容量の容器に保存液を充填し、その中に生体由来組織体を浮遊させた状態で輸送する方法も実施されている。
その方法は、ある程度形状の安定している例えば軟骨組織等には適しているが、膜状の組織体では、輸送中に皺や折りたたみ等が発生する為、前述の観点において好ましくない。
【発明の開示】
【発明が解決しようとする課題】
【０００５】
本発明の目的は、膜状生体由来組織を保存及び輸送する際に、膜状生体由来組織全体に充填した保存液を均一に行き渡らせる事が出来、尚且つ凍結していない状態でも膜状生体由来組織の折りたたみ、丸め、皺等の変形をさせる事無く、その機能、形状を維持した状態で保存及び輸送する事が出来る膜状生体由来組織輸送容器を提供する事である。
【課題を解決するための手段】
【０００６】
即ち本発明は、
（１）膜状生体由来組織を溶液に浸漬した状態で保存及び輸送する為の容器本体及び容器蓋面から構成される容器であって、該容器本体に底面突起部を有し、該容器蓋面に上面突起部を有して、膜状生体由来組織を保持する構造を有する事を特徴とする膜状生体由来組織保存容器、
（２）底面突起部及び上面突起部に浸漬溶液が流動し得る間隙が設けられている（１）記載の膜状生体由来組織保存容器、
（３）底面突起部及び上面突起部がリブ形状からなり、且つ底面突起部及び上面突起部が互いに交点を有する形で配置されている（１）又は（２）記載の膜状生体由来組織保存容器、
（４）容器本体及び容器蓋面にそれぞれシール可能な縁部を有し、容器本体に容器蓋面を被せた後、該縁部をシートでシールする事で容器本体に収納した膜状生体由来組織と溶液を密閉する（１）〜（３）いずれか記載の膜状生体由来組織保存容器、
（５）容器本体側面に膜状生体由来組織の側面を保持する為の突起部を有している（１）〜（４）いずれか記載の膜状生体由来組織保存容器、
（６）膜状生体由来組織を一次キャリアシート上に乗せ、更に膜状生体由来組織及び一次キャリアシートを二次キャリアシートで包んだ状態で容器本体に収納する（１）〜（５）いずれか記載の膜状生体由来組織保存容器、
である。
【発明の効果】
【０００７】
本発明の保存容器により、保存溶液に浸漬した膜状生体由来組織を、折りたたみ、丸め、皺等が発生する事無く安定的に、且つ保存溶液が膜状生体由来組織全体に満遍なく行き渡った状態によりその機能を保持した状態で凍結する事なく保存し、輸送する事が出来る。
【発明を実施するための最良の形態】
【０００８】
以下、本発明の膜状生体由来組織保存容器の一実施例を図面に基づいて説明する。
本発明の保存容器形状は、図１、２に示したように膜状生体由来組織を広げた状態で収納できる大きさを有しており、収納された膜状生体由来組織を容器本体（１）に設けられた底面突起部（ａ−１）と容器蓋面（２）に設けられた上面突起部（ａ−２）で挟み込んだ形で保持する事で輸送中の移動や変形を防ぐ。
【０００９】
本体底面突起部（ａ−１）と上面突起部（ａ−２）は膜状生体由来組織を保存溶液に浸漬した状態で保持できるという特徴を有している。
【００１０】
更に、底面突起部（ａ−１）及び上面突起部（ａ−２）に保存溶液が流動し得る間隙を設ける事が、保存した膜状生体由来組織に均等に保存溶液を行き渡らせる事が出来るので好ましい。
【００１１】
底面突起部（ａ−１）及び上面突起部（ａ−２）の形状としては、針状の突起が無数に並んだ形のいわゆる剣山の形状の様なもの等が考えられるが、図３、４に示したように薄い膜状生体由来組織を収納する場合には各突起部の形状はリブ形状である事が好ましく、それぞれがほぼ均等に複数配置されていることが好ましい。更に底面突起部（ａ−１）と上面突起部（ａ−２）が交点を有する形で配置されていると、膜状生体由来組織はその交点で均等に保持される為、輸送時の損傷が最低限に抑えられるので好ましい。
【００１２】
膜状生体由来組織と保存液を収納した後本体容器と容器蓋面を密閉する必要があるが、その際接着剤を使用すると接着剤の成分が保存液に溶出し悪影響を与える可能性があるため、密閉の方法としては熱等による溶着が好ましい。
【００１３】
更に開封時には無菌的に作業を行なう必要があるが、本体容器と容器蓋面を直接溶着すると開封時に加える力で収納した膜状生体由来組織又は保存液がこぼれる危険や、溶着時に発生した樹脂片が混入する危険性、更に作業者の指等に付着した異物が混入する危険性も高い。その為、図１、２に示したように容器本体にシール可能な縁部（ｂ−１）及び容器蓋面にシール可能な縁部（ｂ−２）を有しており、容器本体に容器蓋面を被せた後にそれぞれの縁部の上からシールシート（３）で溶着する事が好ましい。この場合、開封時シールシート（３）を剥がす際、多少振動が加わっても容器本体（１）に容器蓋面（２）が重なった状態であるため内容物は飛び出さず、シールを剥がした後に力を加えずに容器蓋面を外す事が出来るので、異物コンタミの危険性も大幅に低下する。
【００１４】
膜状生体由来組織体の大きさは通常一定ではなく、容器サイズよりも少しでも大きければ収納できず、その為に容器サイズが大きすぎると側面の保持が出来ず輸送中にずれが発生する可能性がある。そこで、図４に示したように容器本体側面に突起部（ｃ−１）を設け、その突起部で膜状生体由来組織体を保持する事でサイズの大きさの変化にも対応可能で安定的に輸送する事が出来る。
【００１５】
膜状生体由来組織体（６）が薄膜である場合、図５、６に示したように一次キャリアシート（４）上に乗せた状態で更に二次キャリアシート（５）で包んだ状態で容器に収納する事が好ましい。これにより輸送中の安定性は向上する。一次キャリアシート（４）及び二次キャリアシート(５)は、不織布等の保存溶液が透過可能な材質からなることが好ましい。
【産業上の利用可能性】
【００１６】
本発明の膜状生体由来組織輸送容器は、収納した膜状生体由来組織を損傷させることなく、活性を良好に保持させるという特長を有しており、再生医療、臨床又は生化学研究において使用する培養皮膚又は生体から摘出した皮膚、角膜等の膜状の生体由来組織の保存・輸送に好適に用いられる。
【図面の簡単な説明】
【００１７】
【図１】本発明の膜状生体油体組織保存容器の一実施例で膜状生体由来組織を収納し、シールをした状態の一部断面図である。
【図２】本発明の膜状生体油体組織保存容器の一実施例で膜状生体由来組織を収納した状態の一部断面図である。
【図３】本発明の膜状生体油体組織保存容器の一実施例の容器蓋面を示した図である。
【図４】本発明の膜状生体油体組織保存容器の一実施例の容器本体を示した図である。
【図５】一次キャリアシートに乗せた膜状生体由来組織を示した図である。
【図６】一次キャリアシートに乗せた膜状生体由来組織を二次キャリアシートで包んだ状態を示した図である。
【符号の説明】
【００１８】
（１）容器本体
（２）容器蓋面
（３）シールシート
（４）一次キャリアシート
（５）二次キャリアシート
（６）膜状生体由来組織体
（ａ−１）底面突起部
（ａ−２）上面突起部
（ｂ−１）シール可能な容器本体の縁部
（ｂ−２）シール可能な容器蓋面の縁部
（ｃ−１）容器本体側面の突起部
【図１】
2005047866.tif 000003
【図２】
2005047866.tif 000004
【図３】
2005047866.tif 000005
【図４】
2005047866.tif 000006
【図５】
2005047866.tif 000007
【図６】
2005047866.tif 000008